(57)【要約】【課題】被写体の顔が所望のコントラスト比となるように支援又は撮像する撮像装置を提供する。【解決手段】スタジオ撮影モードにセットしてシャッタボタン３３を半押しすると、ＣＣＤ１４からフィールド画の撮像信号が読み出され、デジタル信号の画像データに変換されてデジタル信号処理回路１９に入力される。画像データは、ＹＣ変換回路４３で輝度及び色差に変換され、色差マトリクス回路４４に入力されると同時に画像メモリ２１に入力される。画像データは、顔検出処理回路２２に取り込まれ、被写体の顔画像が検出される。顔画像の画像データがコントラスト比算出回路２３に読み込まれ、左右の分割領域が選定される。各分割領域の左顔階調値，右顔階調値から顔画像のコントラスト比が算出され、ＬＣＤ２５に表示される。コントラスト比が不満な場合には、被写体へのライティングを変更してから、再びシャッタボタン３３を半押しする。【選択図】図１
2008228185.tif 000002
【特許請求の範囲】
【請求項１】
撮像光学系によって結像された被写体像を光電変換して画像データを得る撮像素子と、
前記画像データに基づいて被写体の顔画像を検出する顔検出部と、
前記顔画像の左右の所定領域の各輝度情報に基づいて顔画像のコントラスト比を算出するコントラスト比算出部と、
前記コントラスト比算出部によって得られた顔画像のコントラスト比を表示するコントラスト比表示部と
を備えたことを特徴とする撮像装置。
【請求項２】
前記コントラスト比の所望値を入力するコントラスト比入力部と、
前記コントラスト比の所望値に基づいて、前記画像データのトーンカーブを補正するトーンカーブ補正部と
を備えたことを特徴とする請求項１記載の撮像装置。
【発明の詳細な説明】
【技術分野】
【０００１】
本発明は、撮像装置に関し、更に詳しくは、被写体として主に人物を撮像する撮像装置に関する。
【背景技術】
【０００２】
撮像装置としては、撮像素子により光学画像を撮像信号に変換し、この撮像信号をデジタルの画像データに変換してメモリカード等に記憶するデジタルカメラやビデオカメラなどが知られている。
【０００３】
このような撮像装置を用い、スタジオなどでライティングを行なって人物を撮影する場合、立体感のある人物写真を撮影するために、顔の左右両側から顔に当たる光量が異なるように設置された２灯にトップライトやバックライトなどを加えた３〜４灯のストロボ装置を用いて照明を行なうのが一般的である。なお、顔の左右両側から照明光を当てる代わりに、顔の斜め左前方又は斜め右前方に１灯を設け、その反対側にレフ板を設けるようにしてもよい。
【０００４】
このような多灯照明では、ストロボメータを用いて左右の顔に当たるストロボ光の光量を測定し、顔の左右のコントラスト比が１：２や１：３や１：４などになるように、光量の調節を行なっている。なお、顔のコントラスト比とは、顔の左右のうち暗い方を１として、明るい方が何倍になるかを表わす比率である。
【０００５】
しかしながら、このようなストロボ光の光量を調節して所望のコントラスト比を得ることは、撮影に不慣れなアマチュアにとっては極めて困難である。そこで、種々の提案がなされている。
【０００６】
例えば、顔の明るさの分布を改善する画像処理方法が開示されている（例えば特許文献１）。この画像処理方法は、コンピュータを用いて、画像データから得られる明るさ成分と低周波明るさ成分とを用いて画像データの色調整を行ない、暗室における覆い焼き処理のように、顔の明るさの分布を改善する。
【０００７】
また、人物の左右及びバックを照明する複数個の照明器の各発光量を平面チャートを用いて調整し、前記照明器の各発光量の発光比を立体チャートを用いて調整することにより画像品質の高い顔写真を撮影する撮影システムが知られている（例えば特許文献２）。
【０００８】
また、被写体の表情や姿勢等を検出し、検出した表情や姿勢に応じて適正にアドバイスを行うデジタルカメラが知られている（例えば特許文献３）。このデジタルカメラは、被写体の測光値及び測距値を取り込み、測光値に基づいて露光制御値を定め、測距値に基づいてＡＦ制御値を定めてプレ撮影を行う。このプレ撮影した画像に基づいて被写体の目や口の形状を抽出し、抽出した形状に基づいて係数を演算する。この演算した係数が予め定めた所定閾値以下か否かを判断し、所定閾値以下の場合には、例えば「もっと笑って下さい」等の被写体の表情を修正させるためのアドバイスメッセージを生成して音声で出力する。
【特許文献１】特開２００５−５１４０７号公報
【特許文献２】特開２００５−２２７５８１号公報
【特許文献３】特開２００３−２１９２１８号公報
【発明の開示】
【発明が解決しようとする課題】
【０００９】
ところで、上述したように被写体の顔に対して所望のコントラスト比が得られるようにライティングしたとしても、被写体が子供の場合、子供はじっとしていないことが多いため、所望のコントラスト比とならないことが多い。
【００１０】
上記特許文献１記載の画像処理方法は、コンピュータを用いるため、誰でも簡単に実施できるというものではない。また、上記特許文献２記載の撮影システムは、大掛かりなものとなり、やはりアマチュアが簡単に実施できるものではない。また、上記特許文献３記載のデジタルカメラは、被写体の表情を修正させるためのアドバイスメッセージを生成するもので、所望のコントラスト比を得るためのものではない。
【００１１】
本発明は、上記問題を解決するためになされたもので、被写体の顔が所望のコントラスト比となるように支援又は撮像する撮像装置を提供することを目的とする。
【課題を解決するための手段】
【００１２】
上記課題を解決するために、本発明の撮像装置は、撮像光学系によって結像された被写体像を光電変換して画像データを得る撮像素子と、前記画像データに基づいて被写体の顔画像を検出する顔検出部と、前記顔画像の左右の所定領域の各輝度情報に基づいて顔画像のコントラスト比を算出するコントラスト比算出部と、前記コントラスト比算出部によって得られた顔画像のコントラスト比を表示するコントラスト比表示部とを備えたことを特徴とする。
【００１３】
前記コントラスト比の所望値を入力するコントラスト比入力部と、前記コントラスト比の所望値に基づいて、前記画像データのトーンカーブを補正するトーンカーブ補正部とを備えたことを特徴とする。
【発明の効果】
【００１４】
本発明の撮像装置によれば、撮像素子によって被写体像が光電変換された画像データに基づいて被写体の顔画像を検出し、顔画像の左右の所定領域の各輝度情報に基づいて顔画像のコントラスト比を算出するとともにコントラスト比を表示するので、ユーザに被写体の顔のコントラスト比を明確に知らせ、被写体の顔が所望のコントラスト比となるように支援することができる。この結果、被写体の顔のコントラスト比が所望の値でない場合には、被写体の顔に対するライティングを変更するなどの適切な処置を講ずることができる。
【００１５】
所望のコントラスト比を入力すると、このコントラスト比に基づいて画像データのトーンカーブを補正するので、ライティングが不適切であったとしても、所望のコントラスト比の画像を得ることができる。
【発明を実施するための最良の形態】
【００１６】
図１に示すように、本発明を実施したデジタルカメラ１０は、ＣＰＵ１２、光学ユニット１３、ＣＣＤ１４、アナログ信号処理回路１５、Ａ／Ｄ変換器１６、モータ駆動部１７、ＣＣＤドライバ１８、デジタル信号処理回路１９、圧縮回路２０、画像メモリ２１、顔検出処理回路２２、コントラスト検出回路２３、ＬＣＤドライバ２４、ＬＣＤ２５、ＡＥ／ＡＦ／ＡＷＢ処理回路２６、メディアコントローラ２７、メモリカード２８、データバス２９、ＲＯＭ３０、ＲＡＭ３１、シャッタボタン３３、モード切換ダイヤル３４、及びトーンカーブ補正回路３５からなる。
【００１７】
ＲＯＭ３０には、カメラ本体内の各部を制御するための制御プログラムや、各種制御用データ等が製造時に記憶されている。また、ＲＡＭ３１には、作業用データが一時的に記憶される。ＣＰＵ１２は、これらの制御プログラムや各種制御用データ等に基づいて各部を制御する。
【００１８】
光学ユニット１３は、変倍レンズやフォーカスレンズ等で構成されるズームレンズである撮影レンズと、光量を調節する絞りと、変倍レンズ及びフォーカスレンズを光軸方向に移動させるモータと、絞りを駆動するモータとから構成されている。また、モータ駆動部１７は、ＣＰＵ１２によって制御され、光学ユニット１３内のモータを駆動する駆動信号を生成する。
【００１９】
ＣＣＤ１４は、光学ユニット１３の背後に配置されており、このＣＣＤ１４の受光面には、多数の画素（フォトダイオード）が二次元的に配列されている。光学ユニット１３の撮影レンズを透過した被写体光は、絞りによって光量が調節されて入射し、ＣＣＤ１４は、撮影レンズによって受光面に結像される光学的な画像を電気的な撮像信号に変換して出力する。なお、ＣＣＤ１４に代えて、ＣＭＯＳタイプの撮像素子を用いてもよい。
【００２０】
ＣＣＤ１４の各画素には、赤色（Ｒ）、緑色（Ｇ）、青色（Ｂ）のいずれかの微小なカラーフィルタが設けられており、各画素で蓄積される信号電荷が順次垂直方向及び水平方向に転送することによって撮像信号を出力する。
【００２１】
また、ＣＣＤ１４には、ＣＣＤドライバ１８が接続されている。ＣＰＵ１２は、ＣＣＤドライバ１８を制御することによって、ＣＣＤ１４を駆動するための駆動信号を生成させる。ＣＣＤ１４は、この駆動信号によって駆動され、スルー画表示の際にはＣＣＤ１４からフィールド画（偶数フィールド又は奇数フィールド）の撮像信号が読み出され、アナログ信号処理回路１５に入力される。また、撮影時にはＣＣＤ１２からフレーム画の撮像信号が読み出され、アナログ信号処理回路１５に入力される。
【００２２】
アナログ信号処理回路１５は、相関二重サンプリング回路（ＣＤＳ）と、増幅器（ＡＭＰ）とからなる。撮像信号は、ＣＤＳによってノイズが除去され、さらに、ＡＭＰによって、予め設定されたＩＳＯ感度に基づいてゲイン調整される。その後、撮像信号は、アナログ信号処理部１５からＡ／Ｄ変換器１６に出力される。Ａ／Ｄ変換器１６は、アナログ信号である撮像信号をデジタル信号の画像データ（ＣＣＤＲＡＷデータ）に変換して、デジタル信号処理回路１９に入力する。
【００２３】
デジタル信号処理回路１９は、ホワイトバランス調整回路（ＷＢ）４０、リニアマトリクス回路４１、γ変換回路４２、ＹＣ変換回路４３、及び色差マトリクス回路４４からなる。ホワイトバランス調整回路４０は、ＲＧＢ各色の画像データをゲイン補正することによって、被写体の白色が正確に再現されるように画像データのホワイトバランスを調整する。
【００２４】
ホワイトバランス調整回路４０によって色補正された画像データは、リニアマトリクス回路４１に送られる。このリニアマトリクス回路４１は、色再現性を改善するために、各画素の画素データに対して、周辺画素の画素データを所定量加算して色補正を行なう回路であり、ＣＣＤ１４のカラーフィルタの分光特性等に応じた色補正を画像データに対して行なう。
【００２５】
γ変換回路４２は、リニアマトリクス回路４１から入力された画像データに対して、所定のγ変換パラメータに従って階調変換処理を施し、この画像データをＹＣ変換回路４３に出力する。
【００２６】
ＹＣ変換回路４３は、ＲＧＢ３色で表される画像データを輝度（Ｙ）及び色差（Ｃｒ，Ｃｂ）で表される画像データに変換して、色差マトリクス回路４４に出力する。色差マトリクス回路４４は、輝度及び各色差で色再現を行なうＹＣ系において適切な色再現となるように色補正を行なう。
【００２７】
色差マトリクス回路４４から出力されたフィールド画の画像データは、画像メモリ２１に一時的に格納された後、画像メモリ２１から読み出されてＬＣＤドライバ２４でアナログのコンポジット信号に変換され、ＬＣＤ２５にスルー画として表示される。ＬＣＤ２５に表示されるスルー画を観察することにより被写体のフレーミングを行なうことができる。
【００２８】
色差マトリクス回路４４から出力されたフレーム画の画像データは、画像メモリ２１に一時的に格納された後、画像メモリ２１から読み出され、圧縮回路２０によって、所定の圧縮形式（例えばＪＰＥＧ形式）で圧縮処理が施される。メディアコントローラ２７は、メモリカード２８を制御し、圧縮回路２０によって圧縮された画像データをメモリカード２８に記録する。
【００２９】
ＡＥ／ＡＦ／ＡＷＢ検出回路２６は、画像データに基づいて露出演算、焦点位置検出、及びホワイトバランス量演算を行なう。露出演算では、輝度信号Ｙから被写体輝度を検出し、この被写体輝度に基づいて適性露出を算出する。また、算出した適性露出から、この適性露出に適合するシャッタスピード、絞り値、撮影感度等を決定し、これらをＣＰＵ１２に入力する。ＣＰＵ１２は、入力されたデータに基づいて、ＣＣＤドライバ１８、モータ駆動部１７等を制御する。
【００３０】
また、ＡＥ／ＡＦ／ＡＷＢ検出回路２６が焦点位置検出を行なう際には、画像メモリ２１に記録された画像データの空間周波数の高周波成分を積算し、この積算値を焦点評価値として、ＣＰＵ１２に出力する。ＣＰＵ１２は、ＡＦ動作時にＡＥ／ＡＦ／ＡＷＢ検出回路２６によって得られる高周波成分の積算値が最大となるようにモータ駆動部１７を制御して光学ユニット１３のフォーカスレンズを光軸方向に進退させ、焦点調整を行う。さらにまたＡＥ／ＡＦ／ＡＷＢ検出回路２６は、画像データからホワイトバランス量を検出してＣＰＵ１２に出力する。
【００３１】
モード切換ダイヤル３４は、これを操作することにより、一般的な撮影に適した通常撮影モードと、スタジオなどの室内で主に人物撮影を行なうスタジオ撮影モードとを切り換える。スタジオ撮影モード下でシャッタボタン３３を半押しすると、ＹＣ変換回路４３は、輝度（Ｙ）及び色差（Ｃｒ，Ｃｂ）で表されるフィールド画の画像データを色差マトリクス回路４４に出力すると同時に、データバス２９を介して画像メモリ２１に出力する。
【００３２】
画像メモリ２１に入力された画像データは、顔検出処理回路２２に取り込まれる。顔検出処理回路２２は、図２（Ａ）に示すように、フレーム枠４９に表示されるフィールド画５０の全体を格子状に分割し（例えば１６×１６）、各分割領域５１に含まれる輝度（Ｙ）及び色差（Ｃｒ，Ｃｂ）に基づいて、皮膚と推定される肌色の画素を多く含む分割領域５１を選び出して被写体の顔画像５４を検出する。
【００３３】
コントラスト比算出回路２３は、顔検出処理回路２２からフィールド画５０及び顔画像５４の各画像データを読み込み、顔画像５４に含まれるフィールド画５０の分割領域５１のうち、顔画像５４の左右に位置する分割領域５１ａ，５１ｂを選定する。そして、コントラスト比算出回路２３は、分割領域５１ａ，５１ｂの各輝度（Ｙ）の値である左顔階調値Ｘ１，右顔階調値Ｘ２に基づいて、顔画像５４のコントラスト比を算出する。
【００３４】
顔画像５４のコントラスト比は、分割領域５１ａ，５１ｂのうち暗い方を１として、明るい方が何倍かを表わす比として定義する。以下、顔画像５４のコントラスト比の算出方法について説明する。
【００３５】
階調値Ｘは、γ変換回路４２によるγ変換後の値であるから、下記の数式４，５によって、被写体反射率と相関のあるγ変換前の値ＸＬに換算する。
【００３６】
Ｘ＝γ（ＸＬ）  ・・・（４）
∴ＸＬ＝γ−１（Ｘ）  ・・（５）
【００３７】
通常、反射率１００％を階調値２５５（８bit）に割り当てるため、反射率Ｒは、次の数式６で得られる。
Ｒ＝１００＊ＸＬ／２５５  ・・・（６）
【００３８】
Ｘ１＞Ｘ２のとき、輝度比Ｐ＝Ｒ１／Ｒ２  ・・・（７）
Ｘ２＞Ｘ１のとき、輝度比Ｐ＝Ｒ２／Ｒ１  ・・・（８）
と定義する。但し、Ｒ１は分割領域５１ａの反射率、Ｒ２は分割領域５１ｂの反射率である。
【００３９】
輝度比Ｐとコントラスト比との関係は下記の表１で表わされる。この表１のルックアップテーブルは、予めＲＯＭ３０に記憶されている。
【００４０】
【表１】
2008228185.tif 000003
【００４１】
コントラスト比算出回路２３は、ＲＯＭ３０に記憶されているルックアップテーブルを参照して、輝度比Ｐから顔画像５４のコントラスト比を求め、これをＣＰＵ１２に入力する。
【００４２】
ＣＰＵ１２は、ＬＣＤドライバ２４を駆動して、図３に示すように、ＬＣＤ２５に、顔画像５４を取り囲むように矩形状の顔検出枠５６を表示し、この左右に「左顔階調値＝Ｘ１」，「右顔階調値＝Ｘ２」を表示するとともに、画面左下部に、例えば、絞り「Ｆ２．８」，シャッタ速度「１／６０」，感度「ＩＳＯ２００」，「コントラスト比＝１：４」を表示する。
【００４３】
これによって、ユーザは、顔画像５４のコントラスト比が自分が望んでいる値であるか否かを簡単・確実に把握することができる。ＬＣＤ２５に表示されたコントラスト比が不満な場合には、被写体へのライティングを変更してから、再びスタジオ撮影モード下でシャッタボタン３３を半押しする。
【００４４】
ライティングを変更しても、じっとしていない子供の写真を撮るような場合には、顔画像５４が所望のコントラスト比にならないことが多い。このような場合には、モード切換ダイヤル３４を操作して、コントラスト比入力モードを選択する。
【００４５】
コントラスト比入力モードを選択すると、図４に示すように、デジタルカメラ１０の背面に配設されたＬＣＤ２５には、コントラスト比「１：１」，「１：２」，「１：３」，「１：４」，「１：５」，「１：６」が選択肢として表示される。十字キー５８を操作して所望の値にカーソル５９を合わせてから決定キー６０を操作すれば、その値が所望のコントラスト比としてＣＰＵ１２を介してトーンカーブ補正回路３５に入力される。
【００４６】
トーンカーブ補正回路３５に入力されたコントラスト比が「１：ｎ」（ｎは自然数）（輝度比Ｐｎ）であり、分割領域５１ａ，５１ｂの各階調値がＸ１，Ｘ２でＸ１＞Ｘ２の場合、ユーザが所望するコントラスト比（輝度比Ｐｎ）に対して、輝度比Ｐなので、数式７から、シャドー側の反射率Ｒ２ｓは、次の数式９で算出される。
Ｒ２ｓ＝Ｒ１／Ｐｎ  ・・・（９）
【００４７】
通常、肌色は元々輝度が高いため、明るい方を変更すると、白飛びを起こし易いため、本実施形態では、数式９により、暗い方の明るさを変更し、所望のコントラスト比が得られるようにしている。
【００４８】
数式４，６，９から、シャドー側の階調値Ｘ２ｓは、次の数式１０で算出される。
Ｘ２ｓ＝γ（２５５＊Ｒ２ｓ／１００）  ・・・（１０）
【００４９】
シャドー側の階調値Ｘ２ｓがデータバス２９を介してγ変換回路４２に入力されることによりγ変換回路４２のパラメータが変更される。続くシャッタボタン３３の全押しによってＣＣＤ１４から読み出されたフレーム画の撮像信号について、図５に示すようなトーンカーブ６２で所望のコントラスト比が再現される。
【００５０】
Ｘ２＞Ｘ１の場合、シャドー側の反射率Ｒ１ｓは、次の数式９で算出される。
Ｒ１ｓ＝Ｒ２／Ｐｎ  ・・・（１１）
したがって、シャドー側の階調値Ｘ１ｓは、次の数式１２で算出される。
Ｘ１ｓ＝γ（２５５＊Ｒ１ｓ／１００）  ・・・（１２）
【００５１】
次に、図６のフローチャートを参照して、上記実施形態のスタジオ撮影モードについて説明する。モード切換ダイヤル３４を操作してスタジオ撮影モードにセットしてから、光学ユニット１３の撮影レンズを被写体に向けて、シャッタボタン３３を半押しする（ｓｔ１）。
【００５２】
ＣＣＤドライバ１８によりＣＣＤ１４からフィールド画の撮像信号が読み出され（ｓｔ２）、アナログ信号処理回路１５に入力される。ここで、撮像信号はノイズの除去とゲイン調整が施された後、Ａ／Ｄ変換器１６でデジタル信号の画像データに変換される。画像データは、デジタル信号処理回路１９に入力されるとともに、データバス２９を介してＡＥ／ＡＦ／ＡＷＢ検出回路２６に読み込まれる。
【００５３】
ＡＥ／ＡＦ／ＡＷＢ検出回路２６は、画像データに基づいて露出演算、焦点位置検出、及びホワイトバランス量演算を行なう。ＣＰＵ１２は、ＡＥ／ＡＦ／ＡＷＢ検出回路２６によって検出された焦点位置に基づいてモータ駆動部１７を駆動し、光学ユニット１３のフォーカスレンズを移動させる。
【００５４】
一方、デジタル信号処理回路１９に入力された画像データは、ＷＢ４０，リニアマトリクス回路４１，γ変換回路４２を経てＹＣ変換回路４３に入力され、輝度（Ｙ）及び色差（Ｃｒ，Ｃｂ）に変換されてから、色差マトリクス回路４４に入力されると同時に、データバス２９を介して画像メモリ２１に入力される。
【００５５】
画像メモリ２１に入力された画像データは、顔検出処理回路２２に取り込まれ、被写体の顔画像５４が検出される（ｓｔ３）。顔検出処理回路２２からフィールド画５０及び顔画像５４の各画像データがコントラスト比算出回路２３に読み込まれ、分割領域５１ａ，５１ｂが選定される。コントラスト比算出回路２３により、分割領域５１ａ，５１ｂの左顔階調値Ｘ１，右顔階調値Ｘ２から顔画像５４のコントラスト比が算出され（ｓｔ４）、ＣＰＵ１２に入力される。
【００５６】
ＣＰＵ１２によりＬＣＤドライバ２４が駆動され、顔検出枠５６、「左顔階調値＝Ｘ１」，「右顔階調値＝Ｘ２」、絞り「Ｆ２．８」，シャッタ速度「１／６０」，感度「ＩＳＯ２００」，「コントラスト比＝１：４」がそれぞれＬＣＤ２５に表示される（ｓｔ５）。
【００５７】
ＬＣＤ２５に表示されたコントラスト比が不満な場合には、被写体へのライティングを変更してから（ｓｔ６）、スタジオ撮影モード下でシャッタボタン３３を半押しする（ｓｔ１）。ＬＣＤ２５に表示されたコントラスト比でよい場合には、そのままシャッタボタン３３を全押しする（ｓｔ７）。
【００５８】
ＣＣＤ１４からフレーム画の撮像信号を読み出され（ｓｔ８）、アナログ信号処理回路１５でノイズ除去・増幅されてから、Ａ／Ｄ変換器１６でデジタルの画像データに変換されてデジタル信号処理回路１９に入力される。デジタル信号処理回路１９で各種の処理を施された画像データは、画像メモリ２１に一時的に格納された後、圧縮回路２０で圧縮処理され、メモリカード２８に記録される（ｓｔ９）。
【００５９】
次に、コントラスト比入力モードを選択した場合について、図７のフローチャートを参照して説明する。ＬＣＤ２５に表示されたコントラスト比「１：１」，「１：２」，・・・，「１：６」から所望のコントラスト比を選択して決定キー６０を操作すると、そのコントラスト比がＣＰＵ１２を介してトーンカーブ補正回路３５に入力される（ｓｔ１１）。
【００６０】
シャッタボタン３３を半押しすると（ｓｔ１２）、ＣＣＤドライバ１８によりＣＣＤ１４からフィールド画の撮像信号が読み出される（ｓｔ１３）。以下、上述したステップ３（ｓｔ３）と同様に、顔検出処理回路２２により被写体の顔画像５４が検出される（ｓｔ１４）。
【００６１】
フィールド画５０及び顔画像５４の各画像データがコントラスト比算出回路２３に読み込まれ、分割領域５１ａ，５１ｂが選定される。分割領域５１ａ，５１ｂの各階調値Ｘ１，Ｘ２がＣＰＵ１２を介してトーンカーブ補正回路３５に入力される。
【００６２】
トーンカーブ補正回路３５により、Ｘ１＞Ｘ２の場合、シャドー側の階調値Ｘ２ｓは、次の数式１０で算出される（ｓｔ１５）。
Ｘ２ｓ＝γ（２５５＊Ｒ２ｓ／１００）  ・・・（１０）
これにより、γ変換パラメータが変更される（ｓｔ１６）。
【００６３】
続いてシャッタボタン３３を全押しすると（ｓｔ１７）、ＣＣＤ１４からフレーム画の撮像信号が読み出され（ｓｔ１８）、アナログ信号処理回路１５でノイズ除去・増幅されてから、Ａ／Ｄ変換器１６でデジタルの画像データに変換されてデジタル信号処理回路１９に入力される。
【００６４】
画像データは、デジタル信号処理回路１９のγ変換回路４２にて、変更されたγ変換パラメータにより、図５に示すようなトーンカーブ６２に補正され、更に各種の処理を施された後、メモリカード２８に記録される（ｓｔ１９）。なお、Ｘ２＞Ｘ１の場合も同様であるから説明を省略する。
【００６５】
以上説明した実施形態では、コントラスト比入力モードにおいて、シャドー側を補正したが、これは、撮影された画像が適正露出であることを前提としている。そこで、コントラスト比入力モードでは、シャドー側，ハイライト側のいずれを補正するかの選択項目を設け、アンダー露出になることが予想される場合には、ハイライト側を補正するように設定を変更するようにしてもよい。
【００６６】
また、上記実施形態では、１台のデジタルカメラがコントラスト比の表示機能（スタジオ撮影モード）とトーンカーブ補正機能（コントラスト比入力モード）の両方を搭載したが、いずれか一方のみを搭載するようにしてもよい。
【００６７】
また、上記実施形態では、コントラスト比入力モードにて選択されるコントラスト比を「１：１」，「１：２」，・・・，「１：６」としたが、本発明はこの数値に限定されないのは勿論である。また、上記実施形態は、デジタルカメラであったが、本発明はこれに限定されることなく、例えばカメラ付き携帯電話やカメラ付きＰＤＡやビデオ（ムービー）カメラ等にも適用することができる。
【図面の簡単な説明】
【００６８】
【図１】本発明を実施したデジタルカメラの電気的な構成を示すブロック図である。
【図２】顔画像の選定された左右の分割領域を示す説明図である。
【図３】コントラスト比等が表示されたＬＣＤの画面を示す説明図である。
【図４】ＬＣＤに表示されたコントラスト比入力モードの設定画面を示すデジタルカメラの背面図である。
【図５】補正されたトーンカーブの例を示す説明図である。
【図６】スタジオ撮影モードの主なシーケンスを示すフローチャートである。
【図７】コントラスト比入力モードの主なシーケンスを示すフローチャートである。
【符号の説明】
【００６９】
１０  デジタルカメラ
１２  ＣＰＵ
２２  顔検出処理回路
２３  コントラスト比算出回路
２５  ＬＣＤ
３５  トーンカーブ補正回路
４２  γ変換回路
５１ａ，５１ｂ  分割領域
５４  顔画像
６２  トーンカーブ
【図１】
2008228185.tif 000004
【図２】
2008228185.tif 000005
【図３】
2008228185.tif 000006
【図４】
2008228185.tif 000007
【図５】
2008228185.tif 000008
【図６】
2008228185.tif 000009
【図７】
2008228185.tif 000010